(57)【要約】【課題】車内での用足しでの車内トイレ具で車内に排出物を残すことは不都合でありさらなに排出物を捨てることは困難である。【解決手段】排出管を持ち入り口のある容器で道路には必ずある側溝に排出の先端をいれ車内で人に見られずに用を足し廃棄すること特徴とする車内トイレ具。【選択図】図１
2019115643.tif 000002
【特許請求の範囲】
【請求項１】
紡錘形の容器において天井があり且つサイドに入り口があり下部にロート状の溜部とそれに連なる排水管を持ち、車内にて用を足し小水を排泄物できることを特徴とする車内トイレ具。
【請求項２】
請求項１において向き合う対面が平らに板状になった容器を特徴とする車内トイレ具
【請求項３】
請求項１において入り口が内側に折り返しを持つことを特徴とする車内トイレ具
【発明の詳細な説明】
【技術分野】
【０００１】本発明はカー用品であり車内での用足しの装置に関する。
【背景技術】
【０００２】従来車では長距離ドライブの時問題になる用足しにおいて車内で密閉容器に入れる方法があった。しかし密閉容器に入れた汚水を持って捨てにいくことは人に見られるなどで特に女性では困難であった。
又小水をゲル状にして車内に保管する方法も廃棄の問題があった。
【発明の開示】
【発明が解決しようとする課題】
【０００３】上述のごとく従来技術に関わる用足しの用具はいずれも捨てるという段階で人目につくとか場所がないとかの問題があった。【０００４】又トイレに容器にたまった小水を捨てにいくときに車の駐車違反の危険性があった。
そのために車内にて用を足し且つ小水を捨てにいく必要がない装置は必要であった。
【課題を解決するための手段】
【０００５】上記の目的を達成するために本発明は紡錘形の容器において天井があり且つサイドに入り口があり下部にロート状の溜部とそれに連なる排出管を持ち車内にて用を足して排出できることを特徴としたトイレ装置。【０００６】又車内に装備する装置のために収納しやすいように対面両サイドが板状になった容器で容易に車内での用足し排出できることを特徴としたトイレ装置。
排出管はキャップ部により分解でき容器の内部を容易に洗浄できることを特徴とした車内用トイレ用具
【発明の効果】
【０００７】以上説明したように本発明によれば持ち運び自由であり社外に出ることなく用を足し且つ道路上に無数にある排水溝の横に車の後部座席が来る位置で停車して排水管の先をドアの隙間から垂らし道路の排水溝の格子の隙間に入れる。
これは社外に出ることなく車のドアを半開きにして用を足せるので人目に触れない。【０００８】車の車種によってはドアのスポンジのレインストップが柔らかいので車のドアを完全に閉めても小水排水管は潰れることがなく小水を排出できる。
ドアを完全に閉めても排出管が潰れていないことは水筒の水を車内にトイレ具に入れて流してみれば確認できる。
【発明を実施するための最良の形態】
【０００９】以下、本発明の実施の形態を図面に基づき詳細に説明する。【００１０】図１は斜視図であり図２は上面図３は入り口から見た図である。【００１１】図１に示すように本車内トイレ具は１ロート状溜部４を持ち且つ天井３と入り口２を持つ容器で排出管保持部５により排出管につながり入り口２より入った小水はいったんロート状溜部に溜まり排出管６を通って閉められた扉ドアのレインストッパーと車体ドア受け部の間を通って側溝蓋を経由して側溝に廃棄することを目的とする。【００１２】この時車種の違いがあるがクラウンのようなレインストパーの柔らかい車種では反ドアーでなく完全に後部ドアーを閉めても廃棄管は潰れずに小水を廃棄はかのであるがレインストッパーの堅い車種では反ドアーでないと排出管は潰れて排水できない。【００１３】排出管が潰れているか否かは水筒水を流すことで確認できる。
この方法だと車内に排出物は残らないので利益があり便利である。
排出管保持部はネジで本体トイレ具と着脱できるので洗浄も容易に行える
【実施例】本発明による車内トイレ具は円錐形でもよいし対面が平らになっているものでも可能であるが女性用では入り口を広げる必要がある。
高速のパーキングエリアではトイレに不便しているのは女性であり入り口を大きくした女性用車内トイレ具は有効である。
【産業上の利用可能性】本発明によりドライバーを悩ませている用足しの煩わしさを取り除き。その結果生ずる駐車違反などの危険性を防ぎ快適な交通環境を提供する。
【符号の説明】１              車内トイレ装置本体
２              入口
３              天井
４              ロート状溜部
５              排出管保持部
６              排出管
７              側溝フタ
８              ガードレール
９              アスファルト
１１            レインストッパー
１２            車体ドア受け部
１３            車床
１４            ガードレール
【図１】
2019115643.tif 000003
【図２】
2019115643.tif 000004
【図３】
2019115643.tif 000005
【手続補正書】
【提出日】平成30年6月14日(2018.6.14)
【手続補正２】
【補正対象書類名】明細書
【補正対象項目名】全文
【補正方法】変更
【補正の内容】
【発明の詳細な説明】
【技術分野】
【０００１】本発明はカー用品であり車内での用足しの装置に関する。
【背景技術】
【０００２】従来では長距離ドライブの時問題になる用足しにおいて車内で密閉容器に入れる
方法があった。しかし密閉容器に入れた汚水を持って捨てにいく事は人に見られる      などで特に女性では困難であった。
又小水をゲル状にして車に保管する方法も廃棄の問題があった。
【発明の開示】
【発明が解決しようとする課題】
【０００３】上記のごとく従来技術に関わる用足しの道具はいずれも捨てるという段階で人目につくとか場所がないとかの問題があった。【０００４】又トイレ容器に溜まった小水を捨てにいくときに車の駐車違反の危険性があった。
そのために車内にて用を足し且つ小水を捨てにいく必要のない装置は必要であった。
【課題を解決するための手段】
【０００５】上記の目的を達成するために本発明は紡錘形の容器において天井があり且つサイドに入り口があり下部にロート状の溜部とそれに連なる排出管を持ち車内にて用を足して排出できることを特徴としたトイレ装置。【０００６】又車内に装備する装置のために収納しやすいように対面両サイドが板状になった容器で容易に車内での用足し排出できることを特徴としたトイレ装置。
排出管はキャップ部により分解でき容器の内部を容易に洗浄できることを特徴とした車内用トイレ用具
【発明の効果】
【０００７】以上説明したように本発明によれば持ち運び自由であり社外に出ることなく用を足し且つ道路上に無数にある排水溝の横に車の後部座席が来る位置で停車して排水管の先をドアの隙間から垂らし道路の排水溝の格子の隙間に入れる。
これは社外に出ることなく車のドアを半開きにして用を足せるので人目に触れない。【０００８】車の車種によってはドアのスポンジのレインストップが柔らかいので車のドアを完全に閉めても小水排水管は潰れることがなく小水を排出できる。
ドアを完全に閉めても排出管が潰れていないことは水筒の水を車内にトイレ具に入れて流してみれば確認できる。
【発明を実施するための最良の形態】
【０００９】以下、本発明の実施の形態を図面に基づき詳細に説明する。【００１０】図１は本体斜視図図２は本体平面図図３は外観側面図。【００１１】図１に示すように本車内トイレ具は１ロート状溜部４を持ち且つ天井３と入り口２を持つ容器で排出管保持部５により排出管につながり入り口２より入った小水はいったんロート状溜部に溜まり排出管６を通って閉められた扉ドアのレインストッパーと車体ドア受け部の間を通って側溝蓋を経由して側溝に廃棄することを目的とする。【００１２】この時車種の違いがあるがクラウンのようなレインストパーの柔らかい車種では反ドアーでなく完全に後部ドアーを閉めても廃棄管は潰れずに小水を廃棄はかのであるがレインストッパーの堅い車種では反ドアーでないと排出管は潰れて排水できない。【００１３】排出管が潰れているか否かは水筒水を流すことで確認できる。
この方法だと車内に排出物は残らないので利益があり便利である。
排出管保持部はネジで本体トイレ具と着脱できるので洗浄も容易に行える
【実施例】
【００１４】本発明による車内トイレ具は円錐形でもよいし対面が平らになっているものでも可能であるが女性用では入り口を広げる必要がある。
高速のパーキングエリアではトイレに不便しているのは女性であり入り口を大きくした女性用車内トイレ具は有効である。
【産業上の利用可能性】
【００１５】本発明によりドライバーを悩ませている用足しの煩わしさを取り除き。その結果生ずる駐車違反などの危険性を防ぎ快適な交通環境を提供する。
【図面の簡単な説明】
【００１６】
【図１】本体斜視図
【図２】本体平面図
【図３】外観側面図
【符号の説明】
【００１７】１              車内トイレ装置本体
２              入口
３              天井
４              ロート状溜部
５              排出管保持部
６              排出管
７              側溝フタ
８              側溝
９              道路
１０            ドア
１１            レインストッパー
１２            車体ドア受け部
１３            車体床
１４            ガードレール